(57)【要約】  不要電磁波で漏洩する画像情報のキャリア周波数またはその高調波周波数に同期した基本クロック信号(BC)に対して、スペクトル拡散変調部(12)でスペクトル拡散クロッキング処理を行い、得られたスペクトル拡散クロック信号ＳＣの各パルスに符号ビットデータが同期するＰＮ符号を変調パターン生成部(13)で生成し、変調パターン信号(MP)として出力するとともに、水平同期信号(H)で当該ＰＮ符号の繰り返し周期をリセットし、変調クロック生成部(14)で、スペクトル拡散クロック信号(SC)を変調パターン信号(MP)で変調し、得られた変調クロック信号(MC)を増幅して漏洩防止信号(JC)を生成する。これにより、十分なレベルの側波帯成分を含む漏洩防止信号を生成でき、有用な漏洩防止効果が得られる。
2011027623.tif 000002
【特許請求の範囲】
【請求項１】
情報処理装置で生成された画像信号に基づいて、当該画像信号の信号成分を含む不要電磁波による画像情報の漏洩を防止するための漏洩防止信号を生成する情報漏洩防止装置であって、
前記不要電磁波で漏洩する前記画像情報のキャリア周波数またはその高調波周波数を有し、かつ前記画像信号に含まれる水平同期信号または垂直同期信号と同期する基本クロック信号を生成する基本クロック生成部と、
前記基本クロック信号に対してスペクトル拡散クロッキング処理を行うことにより、スペクトル拡散クロック信号を生成するスペクトル拡散変調部と、
前記スペクトル拡散クロック信号の各パルスに符号ビットデータが同期するＰＮ（Pseudo Noise）符号を変調パターン信号として出力するとともに、前記水平同期信号で当該ＰＮ符号の繰り返し周期をリセットする変調パターン生成部と、
前記スペクトル拡散クロック信号を前記変調パターン信号で変調することにより、変調クロック信号を生成する変調クロック生成部と、
前記変調クロック信号を増幅することにより前記漏洩防止信号を生成する出力増幅部と
を備えることを特徴とする情報漏洩防止装置。
【請求項２】
請求項１に記載の情報漏洩防止装置において、
前記変調パターン生成部は、前記水平同期信号に代えて、前記垂直同期信号で当該ＰＮ符号の繰り返し周期をリセットすることを特徴とする情報漏洩防止装置。
【請求項３】
請求項１に記載の情報漏洩防止装置において、
前記スペクトル拡散クロック信号をｍ（ｍは正整数）分周して前記変調パターン生成部へ入力する第１の分周部と、
前記スペクトル拡散クロック信号をｎ（ｎは正整数）分周して前記変調クロック生成部へ入力する第２の分周部と
をさらに備え、
前記変調パターン生成部は、前記第１の分周部でｍ分周された前記スペクトル拡散クロック信号の各パルスに符号ビットデータが同期する前記ＰＮ符号を生成し、
前記変調クロック生成部は、前記第２の分周部でｎ分周された前記スペクトル拡散クロック信号を前記変調パターン信号で変調することにより前記変調クロック信号を生成する
ことを特徴とする情報漏洩防止装置。
【請求項４】
請求項３に記載の情報漏洩防止装置において、
前記第１の分周部でｍ分周された前記スペクトル拡散クロック信号のパルスタイミングを変動させたタイミング変動信号を生成するタイミング変動部をさらに備え、
前記変調パターン生成部は、前記タイミング変動信号の各パルスに符号ビットデータが同期する前記ＰＮ符号を生成する
ことを特徴とする情報漏洩防止装置。
【請求項５】
請求項１に記載の情報漏洩防止装置において、
前記基本クロック信号のクロック周波数は、外部接続される画面表示装置に対して前記情報処理装置から外部出力される画像信号のドッククロック周波数またはその高調波周波数からなることを特徴とする情報漏洩防止装置。
【請求項６】
請求項１に記載の情報漏洩防止装置において、
前記基本クロック信号のクロック周波数は、予め当該情報漏洩防止装置に設定された周波数であって、かつ前記不要電磁波で漏洩する前記画像情報のキャリア周波数またはその高調波周波数からなることを特徴とする情報漏洩防止装置。
【請求項７】
請求項１に記載の情報漏洩防止装置において、
前記基本クロック生成部は、前記基本クロック信号として互いの周波数が整数倍の関係および整数分の１の関係のいずれともならない複数の個別基本クロック信号を生成し、
前記スペクトル拡散変調部、前記変調パターン生成部、および前記変調クロック生成部の組が、前記個別基本クロック信号ごとに並列的に設けられて、
前記変調パターン生成部のそれぞれは、当該個別基本クロック信号に対してスペクトル拡散クロッキング処理を行うことにより、個別スペクトル拡散クロック信号を生成し、
前記変調パターン生成部のそれぞれは、当該個別スペクトル拡散クロック信号の各パルスに符号ビットデータが同期するＰＮ（Pseudo Noise）符号を個別変調パターン信号として出力するとともに、前記水平同期信号で当該ＰＮ符号の繰り返し周期をリセットし、
前記変調クロック生成部のそれぞれは、当該個別スペクトル拡散クロック信号を前記個別変調パターン信号で変調することにより個別変調クロック信号を生成し、
前記各個別変調クロック信号を合成した合成変調クロック信号を生成する出力合成部をさらに備え、
前記出力増幅部は、前記合成変調クロック信号を増幅することにより前記漏洩防止信号を生成する
ことを特徴とする情報漏洩防止装置。
【請求項８】
請求項１に記載の情報漏洩防止装置において、
前記基本クロック生成部は、前記不要電磁波で漏洩する前記画像情報のキャリア周波数およびその高調波周波数と、前記画像信号に含まれる水平同期信号および垂直同期信号とに関係せずに、前記基本クロック信号を生成することを特徴とする情報漏洩防止装置。
【請求項９】
情報処理装置から外部出力された画像信号に基づいて、当該画像信号の信号成分を含む不要電磁波による画像情報の漏洩を防止するための漏洩防止信号を生成する情報漏洩防止方法であって、
前記不要電磁波で漏洩する前記画像情報のキャリア周波数またはその高調波周波数を有し、かつ前記画像信号に含まれる水平同期信号または垂直同期信号と同期する基本クロック信号を生成する基本クロック生成ステップと、
前記基本クロック信号に対してスペクトル拡散クロッキング処理を行うことにより、スペクトル拡散クロック信号を生成するスペクトル拡散変調ステップと、
前記スペクトル拡散クロック信号の各パルスに符号ビットデータが同期するＰＮ（Pseudo Noise）符号を変調パターン信号として出力するとともに、前記水平同期信号で当該ＰＮ符号の繰り返し周期をリセットする変調パターン生成ステップと、
前記スペクトル拡散クロック信号を前記変調パターン信号で変調することにより、変調クロック信号を生成する変調クロック生成ステップと、
前記変調クロック信号を増幅することにより前記漏洩防止信号を生成する出力増幅ステップと
を備えることを特徴とする情報漏洩防止方法。
【請求項１０】
請求項９に記載の情報漏洩防止方法において、
前記変調パターン生成ステップは、前記水平同期信号に代えて、前記垂直同期信号で当該ＰＮ符号の繰り返し周期をリセットすることを特徴とする情報漏洩防止方法。
【請求項１１】
請求項９に記載の情報漏洩防止方法において、
前記スペクトル拡散クロック信号をｍ（ｍは正整数）分周する第１の分周ステップと、
前記スペクトル拡散クロック信号をｎ（ｎは正整数）分周する第２の分周ステップと
をさらに備え、
前記変調パターン生成ステップは、前記第１の分周ステップでｍ分周された前記スペクトル拡散クロック信号の各パルスに符号ビットデータが同期する前記ＰＮ符号を生成し、
前記変調クロック生成ステップは、前記第２の分周ステップでｎ分周された前記スペクトル拡散クロック信号を前記変調パターン信号で変調することにより前記変調クロック信号を生成する
ことを特徴とする情報漏洩防止方法。
【請求項１２】
請求項１１に記載の情報漏洩防止方法において、
前記第１の分周ステップでｍ分周された前記スペクトル拡散クロック信号のパルスタイミングを変動させたタイミング変動信号を生成するタイミング変動ステップをさらに備え、
前記変調パターン生成ステップは、前記タイミング変動信号の各パルスに符号ビットデータが同期する前記ＰＮ符号を生成する
ことを特徴とする情報漏洩防止方法。
【請求項１３】
請求項９に記載の情報漏洩防止方法において、
前記基本クロック信号のクロック周波数は、外部接続される画面表示装置に対して前記情報処理装置から外部出力される画像信号のドッククロック周波数またはその高調波周波数からなることを特徴とする情報漏洩防止方法。
【請求項１４】
請求項９に記載の情報漏洩防止方法において、
前記基本クロック信号のクロック周波数は、予め当該情報漏洩防止装置に設定された周波数であって、かつ前記不要電磁波で漏洩する前記画像情報のキャリア周波数またはその高調波周波数からなることを特徴とする情報漏洩防止方法。
【請求項１５】
請求項９に記載の情報漏洩防止方法において、
前記基本クロック生成ステップは、前記基本クロック信号として互いの周波数が整数倍の関係および整数分の１の関係のいずれともならない複数の個別基本クロック信号を生成し、
前記スペクトル拡散変調ステップ、前記変調パターン生成ステップ、および前記変調クロック生成ステップの組が、前記個別基本クロック信号ごとに並列的に設けられて、
前記変調パターン生成ステップのそれぞれは、当該個別基本クロック信号に対してスペクトル拡散クロッキング処理を行うことにより、個別スペクトル拡散クロック信号を生成し、
前記変調パターン生成ステップのそれぞれは、当該個別スペクトル拡散クロック信号の各パルスに符号ビットデータが同期するＰＮ（Pseudo Noise）符号を個別変調パターン信号として出力するとともに、前記水平同期信号で当該ＰＮ符号の繰り返し周期をリセットし、
前記変調クロック生成ステップのそれぞれは、当該個別スペクトル拡散クロック信号を前記個別変調パターン信号で変調することにより個別変調クロック信号を生成し、
前記各個別変調クロック信号を合成した合成変調クロック信号を生成する出力合成ステップをさらに備え、
前記出力増幅ステップは、前記合成変調クロック信号を増幅することにより前記漏洩防止信号を生成する
ことを特徴とする情報漏洩防止方法。
【請求項１６】
請求項９に記載の情報漏洩防止方法において、
前記基本クロック生成ステップは、前記不要電磁波で漏洩する前記画像情報のキャリア周波数およびその高調波周波数と、前記画像信号に含まれる水平同期信号および垂直同期信号とに関係せずに、前記基本クロック信号を生成することを特徴とする情報漏洩防止方法。
【請求項１７】
情報処理装置で生成された画像信号に基づいて、当該画像信号の信号成分を含む不要電磁波による画像情報の漏洩を防止するための漏洩防止信号を生成する情報漏洩防止装置であって、
前記不要電磁波で漏洩する前記画像情報のキャリア周波数またはその高調波周波数を有し、かつ前記画像信号に含まれる水平同期信号または垂直同期信号と同期する基本クロック信号を生成する基本クロック生成部と、
前記基本クロック信号に対してスペクトル拡散クロッキング処理を行うことにより、スペクトル拡散クロック信号を生成するスペクトル拡散変調部と、
前記スペクトル拡散クロック信号を増幅することにより前記漏洩防止信号を生成する出力増幅部と
を備えることを特徴とする情報漏洩防止装置。
【請求項１８】
情報処理装置で生成された画像信号に基づいて、当該画像信号の信号成分を含む不要電磁波による画像情報の漏洩を防止するための漏洩防止信号を生成する情報漏洩防止装置であって、
前記不要電磁波で漏洩する前記画像情報のキャリア周波数またはその高調波周波数を有し、かつ前記画像信号に含まれる水平同期信号または垂直同期信号と同期する基本クロック信号を生成する基本クロック生成部と、
前記基本クロック信号の各パルスに符号ビットデータが同期するＰＮ（Pseudo Noise）符号を変調パターン信号として出力するとともに、前記水平同期信号で当該ＰＮ符号の繰り返し周期をリセットする変調パターン生成部と、
前記基本クロック信号を前記変調パターン信号で変調することにより、変調クロック信号を生成する変調クロック生成部と、
前記変調クロック信号を増幅することにより前記漏洩防止信号を生成する出力増幅部と
を備えることを特徴とする情報漏洩防止装置。
【請求項１９】
情報処理装置で生成された画像信号に基づいて、当該画像信号の信号成分を含む不要電磁波による画像情報の漏洩を防止するための漏洩防止信号を生成する情報漏洩防止方法であって、
前記不要電磁波で漏洩する前記画像情報のキャリア周波数またはその高調波周波数を有し、かつ前記画像信号に含まれる水平同期信号または垂直同期信号と同期する基本クロック信号を生成する基本クロック生成ステップと、
前記基本クロック信号に対してスペクトル拡散クロッキング処理を行うことにより、スペクトル拡散クロック信号を生成するスペクトル拡散変調ステップと、
前記スペクトル拡散クロック信号を増幅することにより前記漏洩防止信号を生成する出力増幅ステップと
を備えることを特徴とする情報漏洩防止方法。
【請求項２０】
情報処理装置で生成された画像信号に基づいて、当該画像信号の信号成分を含む不要電磁波による画像情報の漏洩を防止するための漏洩防止信号を生成する情報漏洩防止方法であって、
前記不要電磁波で漏洩する前記画像情報のキャリア周波数またはその高調波周波数を有し、かつ前記画像信号に含まれる水平同期信号または垂直同期信号と同期する基本クロック信号を生成する基本クロック生成ステップと、
前記基本クロック信号の各パルスに符号ビットデータが同期するＰＮ（Pseudo Noise）符号を変調パターン信号として出力するとともに、前記水平同期信号で当該ＰＮ符号の繰り返し周期をリセットする変調パターン生成ステップと、
前記基本クロック信号を前記変調パターン信号で変調することにより、変調クロック信号を生成する変調クロック生成ステップ部と、
前記変調クロック信号を増幅することにより前記漏洩防止信号を生成する出力増幅ステップと
を備えることを特徴とする情報漏洩防止方法。
【発明の詳細な説明】
【技術分野】
【０００１】
本発明は、情報漏洩防止技術に関し、特に情報処理装置で生成された画像信号の信号成分を含む不要電磁波による画像情報の漏洩を防止する技術に関する。
【背景技術】
【０００２】
コンピュータ等の情報処理装置、当該情報処理装置に外部接続された画面表示装置、またはこれら情報処理装置や画面表示装置に接続された信号ケーブルや電源ケーブルなどのケーブルから意図せずに放射される不要電磁波には、情報処理装置で生成された画像信号の信号成分が含まれている場合があり、これら不要電磁波を傍受して元の画像情報を再生することにより、その画像情報に含まれる各種情報を不正に取得することが可能となる。
従来、このような不要電磁波からの画像情報の漏洩を防止する情報漏洩防止技術として、情報処理装置の画像信号に同期した漏洩防止信号を生成して不要電磁波に重畳させることにより、不要電磁波に含まれる画像情報の再生を防止する情報漏洩防止装置が提案されている（例えば、特許文献１など参照）。【０００３】
図２３は、従来の情報漏洩防止装置の構成を示すブロック図である。この情報漏洩防止装置５０では、情報処理装置２０からの水平同期信号Ｈまたは垂直同期信号Ｖに基づいて、基本クロック生成部５１により、画像情報を構成する各ドットデータのドットクロック周波数またはその高調波周波数を持つ基本クロック信号ＢＣを生成し、変調パターン生成部５２により、この基本クロック信号ＢＣを分周したパルスに各符号ビットデータが同期する固定の変調パターン信号ＭＰを生成し、変調クロック生成部５３により、変調パターン信号ＭＰで基本クロック信号ＢＣを変調して変調クロック信号ＭＣを生成している。【０００４】
図２４は、従来の情報漏洩防止装置におけるクロック変調動作を示すタイミングチャートである。変調パターン生成部５２では、変調パターン信号ＭＰの繰り返しが水平同期信号Ｈでリセットされているため、基本クロック信号ＢＣに対して、水平同期信号Ｈの周期で一定のパターン変調が繰り返し行われることになる。【０００５】
この後、変調クロック生成部５３で生成した変調クロック信号ＭＣを出力増幅部５４で増幅することにより漏洩防止信号ＪＣが生成される。この漏洩防止信号ＪＣを情報処理装置２０の画像信号用の接地電位またはこの接地電位と画像信号の両方へ同時に出力され、あるいはアンテナから漏洩防止信号ＪＣを送信することにより、この漏洩防止信号ＪＣが不要電磁波へ重畳される。
図２５は、不要電磁波からの画像再生例である。なお、図２５はあくまでも模式図であり、再生画像を忠実に表現したものではない。この例では、元の画像情報に対して、変調パターン信号ＭＰの符号ビットデータに対応した縦縞模様のマスクパターン（黒色部）が合成されており、この不要電磁波から再生した元の画像情報の視認性を劣化させることにより、情報漏洩を防止している。
【先行技術文献】
【特許文献】
【０００６】
【特許文献１】特開２００８−２８３５２０号公報
【非特許文献】
【０００７】
【非特許文献１】「XAPP469-ディスプレイ アプリケーションにおけるスペクトル拡散クロックの受信」、http://japan.xilinx.com/support/documentation/application_notes/j_xapp469.pdf、サポート資料、Spartan-3A DSP FPGA アプリケーション ノート、XAPP469(v1.0)、2008年8月22日、Xilinx
【発明の概要】
【発明が解決しようとする課題】
【０００８】
しかしながら、このような従来技術では、不要電磁波に含まれる元の画像情報に合成するマスクパターンとして、より視認性を劣化できるマスクパターン形状を生成することに主眼が置かれており、漏洩防止信号が不要電磁波のキャリアとなる周波数の側波帯の全体に重畳されていないため、有用な漏洩防止効果が得られない場合があるという問題点があった。【０００９】
情報処理装置からの漏洩画像情報は、不要電磁波のうち表示画像解像度のドットクロック周波数ｆ0またはその高調波周波数（ｆ0×Ｎ：Ｎは２以上の整数）に同調して放射される。但し、画像情報は、不要電磁波のキャリアとなるドットクロック周波数ｆ0およびその高調波周波数（ｆ0×Ｎ）そのものではなく、当該キャリアの側波帯に含まれている。これは、基本クロック信号を変調する変調パターン自体が、元々、一定幅の周波数帯域を持つためである。【００１０】
図２６は、従来の情報漏洩防止装置における不要電磁波の周波数スペクトルである。ここでは、固定パターンで基本クロック信号を変調して得られた漏洩防止信号を用いた場合を例として、ドットクロック周波数ｆ0＝６５ＭＨｚ（ＸＧＡ）の６倍（Ｎ＝６）の高調波０．３９ＧＨｚ（ｆ0×６）をキャリアとする周波数スペクトルが示されている。【００１１】
図２６において、キャリアの側波帯に注目すると、漏洩防止信号を重畳した際の不要電磁波の側波帯成分レベルは、いくつかの周波数で大きなピークを有しているものの、全体的には、情報処理装置単体で動作させた場合、すなわち漏洩防止信号を重畳していない場合とほぼ同じである。これは、漏洩防止信号を不要電磁波に重畳しても、不要電磁波の側波帯成分レベルが変化していないことを意味している。
したがって、従来技術で得られる漏洩防止信号の側波帯成分には、十分なレベルの漏洩防止信号が重畳されておらず、場合によっては、不要電磁波の側波帯から元の画像情報が再生される可能性がある。【００１２】
また、従来技術によれば、側波帯成分レベルが低いため、漏洩防止信号のキャリア周波数の出力レベルを高くして漏洩防止効果を得る必要があるが、このような出力レベルの増大は、キャリア周波数における放射電界強度が、ＶＣＣＩ（Voluntary Control Council for Information Technology Equipment）などの規制レベルを超過する可能性もある。【００１３】
本発明はこのような課題を解決するためのものであり、不要電磁波のキャリアとなる周波数の側波帯の全体に対して、十分なレベルの側波帯成分を含む漏洩防止信号を生成でき、有用な漏洩防止効果を得ることが可能な情報漏洩防止技術を提供することを目的としている。
【課題を解決するための手段】
【００１４】
このような目的を達成するために、本発明にかかる情報漏洩防止装置は、情報処理装置で生成された画像信号に基づいて、当該画像信号の信号成分を含む不要電磁波による画像情報の漏洩を防止するための漏洩防止信号を生成する情報漏洩防止装置であって、不要電磁波で漏洩する画像情報のキャリア周波数またはその高調波周波数を有し、かつ画像信号に含まれる水平同期信号または垂直同期信号と同期する基本クロック信号を生成する基本クロック生成部と、基本クロック信号に対してスペクトル拡散クロッキング処理を行うことにより、スペクトル拡散クロック信号を生成するスペクトル拡散変調部と、スペクトル拡散クロック信号の各パルスに符号ビットデータが同期するＰＮ（Pseudo Noise）符号を変調パターン信号として出力するとともに、水平同期信号で当該ＰＮ符号の繰り返し周期をリセットする変調パターン生成部と、スペクトル拡散クロック信号を変調パターン信号で変調することにより、変調クロック信号を生成する変調クロック生成部と、変調クロック信号を増幅することにより漏洩防止信号を生成する出力増幅部とを備えている。【００１５】
また、本発明にかかる情報漏洩防止方法は、情報処理装置から外部出力された画像信号に基づいて、当該画像信号の信号成分を含む不要電磁波による画像情報の漏洩を防止するための漏洩防止信号を生成する情報漏洩防止方法であって、不要電磁波で漏洩する画像情報のキャリア周波数またはその高調波周波数を有し、かつ画像信号に含まれる水平同期信号または垂直同期信号と同期する基本クロック信号を生成する基本クロック生成ステップと、基本クロック信号に対してスペクトル拡散クロッキング処理を行うことにより、スペクトル拡散クロック信号を生成するスペクトル拡散変調ステップと、スペクトル拡散クロック信号の各パルスに符号ビットデータが同期するＰＮ（Pseudo Noise）符号を変調パターン信号として出力するとともに、水平同期信号で当該ＰＮ符号の繰り返し周期をリセットする変調パターン生成ステップと、スペクトル拡散クロック信号を変調パターン信号で変調することにより、変調クロック信号を生成する変調クロック生成ステップと、変調クロック信号を増幅することにより漏洩防止信号を生成する出力増幅ステップとを備えている。【００１６】
また、本発明にかかる他の情報漏洩防止装置は、情報処理装置で生成された画像信号に基づいて、当該画像信号の信号成分を含む不要電磁波による画像情報の漏洩を防止するための漏洩防止信号を生成する情報漏洩防止装置であって、不要電磁波で漏洩する画像情報のキャリア周波数またはその高調波周波数を有し、かつ画像信号に含まれる水平同期信号または垂直同期信号と同期する基本クロック信号を生成する基本クロック生成部と、基本クロック信号に対してスペクトル拡散クロッキング処理を行うことにより、スペクトル拡散クロック信号を生成するスペクトル拡散変調部と、スペクトル拡散クロック信号を増幅することにより漏洩防止信号を生成する出力増幅部とを備えている。【００１７】
また、本発明にかかる他の情報漏洩防止装置は、情報処理装置で生成された画像信号に基づいて、当該画像信号の信号成分を含む不要電磁波による画像情報の漏洩を防止するための漏洩防止信号を生成する情報漏洩防止装置であって、不要電磁波で漏洩する画像情報のキャリア周波数またはその高調波周波数を有し、かつ画像信号に含まれる水平同期信号または垂直同期信号と同期する基本クロック信号を生成する基本クロック生成部と、基本クロック信号の各パルスに符号ビットデータが同期するＰＮ（Pseudo Noise）符号を変調パターン信号として出力するとともに、水平同期信号で当該ＰＮ符号の繰り返し周期をリセットする変調パターン生成部と、基本クロック信号を変調パターン信号で変調することにより、変調クロック信号を生成する変調クロック生成部と、変調クロック信号を増幅することにより漏洩防止信号を生成する出力増幅部とを備えている。【００１８】
また、本発明にかかる他の情報漏洩防止方法は、不要電磁波で漏洩する画像情報のキャリア周波数またはその高調波周波数を有し、かつ画像信号に含まれる水平同期信号または垂直同期信号と同期する基本クロック信号を生成する基本クロック生成ステップと、基本クロック信号に対してスペクトル拡散クロッキング処理を行うことにより、スペクトル拡散クロック信号を生成するスペクトル拡散変調ステップと、スペクトル拡散クロック信号を増幅することにより漏洩防止信号を生成する出力増幅ステップとを備えている。【００１９】
また、本発明にかかる他の情報漏洩防止方法は、情報処理装置で生成された画像信号に基づいて、当該画像信号の信号成分を含む不要電磁波による画像情報の漏洩を防止するための漏洩防止信号を生成する情報漏洩防止方法であって、不要電磁波で漏洩する画像情報のキャリア周波数またはその高調波周波数を有し、かつ画像信号に含まれる水平同期信号または垂直同期信号と同期する基本クロック信号を生成する基本クロック生成ステップと、基本クロック信号の各パルスに符号ビットデータが同期するＰＮ（Pseudo Noise）符号を変調パターン信号として出力するとともに、水平同期信号で当該ＰＮ符号の繰り返し周期をリセットする変調パターン生成ステップと、基本クロック信号を変調パターン信号で変調することにより、変調クロック信号を生成する変調クロック生成ステップ部と、変調クロック信号を増幅することにより漏洩防止信号を生成する出力増幅ステップとを備えている。
【発明の効果】
【００２０】
本発明によれば、情報処理装置単体で動作させた場合および従来の固定パターン変調方式を用いた場合と比較して、不要電磁波のキャリアとなる周波数の側波帯の全体に対して、十分なレベルの側波帯成分を含む漏洩防止信号を生成することができる。したがって、不要電磁波の側波帯成分を用いた元の画像情報の再生を極めて困難にすることができ、有用な漏洩防止効果を得ることが可能となる。
また、不要電磁波のキャリア周波数における放射電界強度を、ＶＣＣＩなどの規制レベル内まで容易に低減させることができる。
【図面の簡単な説明】
【００２１】
【図１】図１は、第１の実施の形態にかかる情報漏洩防止装置の構成を示すブロック図である。
【図２】図２は、第１の実施の形態にかかる情報漏洩防止装置の動作を示すタイミングチャートである。
【図３】図３は、第１の実施の形態にかかる漏洩防止信号を重畳した不要電磁波からの再生画像例である。
【図４】図４は、第１の実施の形態にかかる情報漏洩防止装置を用いた場合における不要電磁波の周波数スペクトルである。
【図５】図５は、第２の実施の形態にかかる情報漏洩防止装置の構成を示すブロック図である。
【図６】図６は、第２の実施の形態にかかる漏洩防止信号を重畳した不要電磁波からの再生画像例である。
【図７】図７は、第２の実施の形態にかかる情報漏洩防止装置を用いた場合における不要電磁波の周波数スペクトルである。
【図８】図８は、第３の実施の形態にかかる情報漏洩防止装置の構成を示すブロック図である。
【図９】図９は、第３の実施の形態にかかる情報漏洩防止装置の動作を示すタイミングチャートである。
【図１０】図１０は、ドットクロック周波数の違いによる不要電磁波の周波数スペクトルである。
【図１１】図１１は、第３の実施の形態にかかる情報漏洩防止装置を用いた場合における不要電磁波の周波数スペクトルである。
【図１２】図１２は、第４の実施の形態にかかる情報漏洩防止装置の構成を示すブロック図である。
【図１３Ａ】図１３Ａは、タイミング変動部の構成例である。
【図１３Ｂ】図１３Ｂは、タイミング変動部の他の構成例である。
【図１３Ｃ】図１３Ｃは、タイミング変動部の他の構成例である。
【図１４Ａ】図１４Ａは、第４の実施の形態にかかる情報漏洩防止装置（図１３Ａ）の動作を示すタイミングチャートである。
【図１４Ｂ】図１４Ｂは、第４の実施の形態にかかる情報漏洩防止装置（図１３Ｂ）の動作を示すタイミングチャートである。
【図１４Ｃ】図１４Ｃは、第４の実施の形態にかかる情報漏洩防止装置（図１３Ｃ）の動作を示すタイミングチャートである。
【図１５】図１５は、第５の実施の形態にかかる情報漏洩防止装置の構成を示すブロック図である。
【図１６】図１６は、第５の実施の形態にかかる情報漏洩防止装置（水平同期リセット）を用いた場合における不要電磁波の周波数スペクトルである。
【図１７】図１７は、第５の実施の形態にかかる情報漏洩防止装置（垂直同期リセット）を用いた場合における不要電磁波の周波数スペクトルである。
【図１８】図１８は、第６の実施の形態にかかる情報漏洩防止装置の構成を示すブロック図である。
【図１９】図１９は、第６の実施の形態にかかる情報漏洩防止装置（水平同期リセット）を用いた場合における不要電磁波の周波数スペクトルである。
【図２０】図２０は、第６の実施の形態にかかる情報漏洩防止装置（垂直同期リセット）を用いた場合における不要電磁波の周波数スペクトルである。
【図２１】図２１は、第７の実施の形態にかかる情報漏洩防止装置の構成を示すブロック図である。
【図２２】図２２は、第８の実施の形態にかかる情報漏洩防止装置の構成を示すブロック図である。
【図２３】図２３は、従来の情報漏洩防止装置の構成を示すブロック図である。
【図２４】図２４は、従来の情報漏洩防止装置におけるクロック変調動作を示すタイミングチャートである。
【図２５】図２５は、不要電磁波からの画像再生例である。
【図２６】図２６は、従来の情報漏洩防止装置を用いた場合における不要電磁波の周波数スペクトルである。
【発明を実施するための形態】
【００２２】
次に、本発明の実施の形態について図面を参照して説明する。
［第１の実施の形態］
まず、図１を参照して、本発明の第１の実施の形態にかかる情報漏洩防止装置について説明する。図１は、第１の実施の形態にかかる情報漏洩防止装置の構成を示すブロック図である。
この情報漏洩防止装置１０は、全体として、信号処理回路装置からなり、コンピュータ等の情報処理装置２０で生成された画像信号２１に基づいて、当該情報処理装置２０、当該情報処理装置２０に外部接続された画面表示装置（図示せず）、またはこれら情報処理装置や画面表示装置に接続された信号ケーブルや電源ケーブルなどのケーブルから放射される不要電磁波による画像情報の漏洩を防止するための漏洩防止信号ＪＣを生成する機能を有している。
【００２３】
本実施の形態は、不要電磁波で漏洩する画像情報のキャリア周波数またはその高調波周波数を持つ基本クロック信号ＢＣに対してスペクトル拡散クロッキング処理を行い、得られたスペクトル拡散クロック信号ＳＣの各パルスに符号ビットデータが同期するＰＮ（Pseudo Noise）符号を生成して変調パターン信号ＭＰとして出力するとともに、水平同期信号Ｈで当該ＰＮ符号の繰り返し周期をリセットし、この変調パターン信号ＭＰでスペクトル拡散クロック信号ＳＣを変調し、得られた変調クロック信号ＭＣを増幅することにより漏洩防止信号ＪＣを生成している。
【００２４】
次に、図１を参照して、本実施の形態にかかる情報漏洩防止装置の構成について詳細に説明する。本実施の形態にかかる情報漏洩防止装置１０には、主な機能部として、基本クロック生成部１１、スペクトル拡散変調部１２、変調パターン生成部１３、変調クロック生成部１４、および出力増幅部１５が設けられている。
【００２５】
基本クロック生成部１１は、一般的なＰＬＬ回路や逓倍回路などのクロック生成回路からなり、不要電磁波で漏洩する画像情報のキャリア周波数またはその高調波周波数を有し、かつ画像信号２１に含まれる水平同期信号Ｈまたは垂直同期信号Ｖと同期する基本クロック信号ＢＣを生成する機能を有している。
この基本クロック信号ＢＣの周波数は、基本的に情報処理装置２０、情報処理装置２０に外部接続された画面表示装置、またはこれら情報処理装置２０や画面表示装置に接続された信号ケーブルや電源ケーブルなどのケーブルから、不要電磁波で漏洩する画像情報のキャリア周波数またはその高調波周波数を有していればよく、基本クロック信号ＢＣの周波数については、後述する２通りの考え方がある。
【００２６】
スペクトル拡散変調部１２は、一般的なスペクトル拡散変調回路からなり、基本クロック信号ＢＣに対してスペクトル拡散クロッキング処理を行うことにより、スペクトル拡散クロック信号ＳＣを生成する機能を有している。スペクトル拡散変調部１２で用いるスペクトル拡散クロッキング処理は、公知技術(非特許文献１など参照）に基づく拡散方式であり、一定の周波数幅で出力クロック周波数を徐々に変更する拡散方式である。
【００２７】
具体的には、入力クロック周波数ｆINを中心として上下に数％程度の周波数幅で、出力クロック周波数ｆOUTを周期的に変更するセンター拡散方式、入力クロック周波数ｆINを中心として下側のみに数％程度の周波数幅で、出力クロック周波数ｆOUTを周期的に変更するダウン拡散方式、入力クロック周波数ｆINを中心として上側のみに数％程度の周波数幅で、出力クロック周波数ｆOUTを周期的に変更するアップ拡散方式がある。
【００２８】
変調パターン生成部１３は、スペクトル拡散クロック信号ＳＣの各パルスに符号ビットデータが同期するＰＮ符号を変調パターン信号ＭＰとして出力する機能と、画像信号２１の水平同期信号Ｈで当該ＰＮ符号の繰り返し周期をリセットする機能とを有している。これにより、水平同期信号Ｈの周期を繰り返し周期とするＰＮ符号からなる変調パターン信号ＭＰが、変調パターン生成部１３により生成される。
【００２９】
変調クロック生成部１４は、スペクトル拡散クロック信号ＳＣを変調パターン信号ＭＰで変調することにより、変調クロック信号ＭＣを生成する機能を有している。これにより、スペクトル拡散クロック信号ＳＣの各ビットが、変調パターン信号ＭＰの対応するビットと、例えば排他的論理和などの論理演算により変調されて、変調クロック信号ＭＣが生成される。
【００３０】
出力増幅部１５は、一般的な増幅回路からなり、変調クロック信号ＭＣを増幅することにより漏洩防止信号ＪＣを生成する機能を有している。この漏洩防止信号ＪＣは、情報処理装置２０の画像信号用の接地電位またはこの接地電位と画像信号の両方へ同時に出力され、あるいはアンテナから漏洩防止信号ＪＣを送信されて、不要電磁波へ重畳される。
【００３１】
［基本クロック信号の周波数］
前述したように、基本クロック生成部１１で生成する基本クロック信号ＢＣの周波数としては、２通りの考え方がある。
１つ目は、情報処理装置２０に外部接続される画面表示装置（図示せず）に対して情報処理装置２０から外部出力される画像信号２１のドッククロック周波数またはその高調波周波数を用いる方法である。
２つ目は、予め当該情報漏洩防止装置１０に設定された周波数であって、かつ情報処理装置２０、当該情報処理装置２０に外部接続された画面表示装置、またはこれら情報処理装置や画面表示装置に接続された信号ケーブルや電源ケーブルなどのケーブルから放射される不要電磁波で漏洩する画像情報のキャリア周波数またはその高調波周波数を用いる方法である。
【００３２】
一般的な情報処理装置２０で生成される画像信号では、標準的な規格や解像度に基づくドットクロック周波数が用いられており、特に、情報処理装置２０に外部接続される画面表示装置に対しては、画面表示装置との整合性や汎用性を確保するため、多くの場合、標準的な規格や解像度に合わせた画像信号２１が出力されている。
したがって、標準的な規格や解像度に基づくドットクロック周波数の画像信号が、不要電磁波で漏洩する画像情報で用いられている場合には、不要電磁波で漏洩する画像情報のキャリア周波数を、画像信号２１の標準的な規格や解像度に基づいて、当該画像信号のドッククロック周波数さらにはその高調波周波数のうちから予め特定できる。
【００３３】
このため、基本クロック生成部１１では、１つ目の方法に基づいて、外部接続される画面表示装置に対して情報処理装置から外部出力される画像信号２１のドッククロック周波数またはその高調波周波数をクロック周波数とする基本クロック信号ＢＣを生成すればよい。
例えば、画像信号２１に含まれるドットデータを示す輝度信号（ＲＧＢ）に基づいて、基本クロック生成部１１により、ドットクロック周波数ｆ0またはその高調波周波数を持つクロック信号を抽出し、このクロック信号に基づいて基本クロック信号ＢＣを生成してもよい。
【００３４】
一方、ノートＰＣなど装置内部に画面表示装置を持つ情報処理装置２０では、外部接続用の画面表示装置のために情報処理装置２０から外部出力されている画像信号２１で使用される標準的な規格や解像度に沿ったドットクロック周波数とは異なる周波数を、装置内部の画面表示装置で使用している場合もある。また、情報処理装置２０に外部接続された画面表示装置において、情報処理装置２０から外部出力された画像信号２１で使用される標準的な規格や解像度に沿ったドットクロック周波数とは異なる周波数を、装置内部の画面表示に使用している場合もある。
【００３５】
このような場合には、画像信号２１で使用される標準的な規格や解像度に沿ったドットクロック周波数またはその高調波周波数で基本クロック信号ＢＣを生成した場合、不要電磁波で漏洩する画像情報のキャリア周波数またはその高調波周波数と、漏洩防止信号ＪＣのキャリア周波数、すなわち基本クロック信号ＢＣのクロック周波数が異なるため、生成した漏洩防止信号ＪＣにより有用な漏洩防止効果が得られない場合がある。
【００３６】
したがって、十分な漏洩防止効果を得るためには、２つ目の方法に基づいて、情報処理装置２０、情報処理装置２０に外部接続された画面表示装置、またはこれら情報処理装置２０や画面表示装置に接続された信号ケーブルや電源ケーブルなどのケーブルから、不要電磁波で漏洩する画像情報のキャリア周波数またはその高調波周波数を持つ基本クロック信号ＢＣを基本クロック生成部１１で生成すればよい。
例えば、不要電磁波で漏洩する画像情報のキャリア周波数またはその高調波周波数が既知の場合には、この周波数を生成するファームウェアを予め情報漏洩防止装置１０に設定しておけばよい。
【００３７】
あるいは、不要電磁波で漏洩する画像情報のキャリア周波数またはその高調波周波数の測定結果に基づき、所望の周波数を情報漏洩防止装置１０の外部から設定してもよい。
具体的には、クロック周波数が異なる複数のファームウェアを予め情報漏洩防止装置１０に設定しておき、情報漏洩防止装置１０の外部からの操作によって、所望のクロック周波数のファームウェアを選択する方法や、情報漏洩防止装置１０に設けたデータ入出力インターフェス部を介して、任意のクロック周波数のファームウェアを外部から情報処理装置２０へ登録する方法がある。
【００３８】
［第１の実施の形態の動作］
次に、図２を参照して、本実施の形態にかかる情報漏洩防止装置の動作について説明する。図２は、第１の実施の形態にかかる情報漏洩防止装置の動作を示すタイミングチャートである。ここでは、前述した１つ目の方法に基づき、基本クロック信号として用いる周波数を決定した場合を例に説明するが、前述した２つ目の方法についても同様で適用できる。
【００３９】
情報処理装置２０は、例えばＸＧＡ方式（解像度1024×768）の場合、４８ＫＨｚのＨＳＹＮＣ周期を持つ同期パルスを水平同期信号Ｈとして出力する。基本クロック生成部１１は、情報処理装置２０で生成された画像信号２１を構成する各ドットデータのドットクロック周波数ｆ0またはその高調波周波数を有する基本クロック信号ＢＣを生成し、画像信号２１に含まれる水平同期信号Ｈまたは垂直同期信号Ｖと同期したタイミングで出力する。
【００４０】
スペクトル拡散変調部１２は、基本クロック生成部１１から入力された基本クロック信号ＢＣに対してスペクトル拡散クロッキング処理を行う。これにより、例えばドットクロック周波数ｆ0またはその高調波周波数を中心として上下に数％程度の周波数幅で、クロック周波数が周期的に変更するスペクトル拡散クロック信号ＳＣが生成される。
【００４１】
変調パターン生成部１３は、スペクトル拡散変調部１２から入力されたスペクトル拡散クロック信号ＳＣの各パルスに符号ビットデータが同期するＰＮ符号を生成する。この際、変調パターン生成部１３は、画像信号２１の水平同期信号Ｈにより、当該ＰＮ符号の繰り返し周期をリセットする。これにより、水平同期信号Ｈの周期を繰り返し周期とするＰＮ符号からなる変調パターン信号ＭＰが生成される。
【００４２】
変調クロック生成部１４は、スペクトル拡散変調部１２から入力されたスペクトル拡散クロック信号ＳＣを、変調パターン生成部１３から入力された変調パターン信号ＭＰで変調する。これにより、スペクトル拡散クロック信号ＳＣの各パルスが、変調パターン信号ＭＰの各ビットで変調された変調クロック信号ＭＣが生成される。
【００４３】
出力増幅部１５は、変調クロック生成部１４から入力された変調クロック信号ＭＣを増幅して漏洩防止信号ＪＣを生成する。これにより、漏洩防止信号ＪＣが、情報処理装置２０の画像信号用の接地電位またはこの接地電位と画像信号の両方へ同時に出力され、あるいはアンテナから漏洩防止信号ＪＣが送信されて、不要電磁波へ重畳される。
【００４４】
図３は、第１の実施の形態にかかる漏洩防止信号を重畳した不要電磁波からの再生画像例である。なお、図３はあくまでも模式図であり、再生画像を忠実に表現したものではない。この例では、元の画像情報に対して、水平同期信号Ｈの周期を繰り返し周期とするＰＮ符号からなるランダムな縦縞のマスクパターンが合成されている。また、基本クロック信号ＢＣをスペクトル拡散クロッキング処理したスペクトル拡散クロック信号ＳＣを用いて、漏洩防止信号ＪＣを生成しているため、マスクパターンが合成された合成画像全体が、水平方向（画面左右方向）に滲んで表示されている。
【００４５】
図４は、第１の実施の形態にかかる情報漏洩防止装置を用いた場合における不要電磁波の周波数スペクトルである。ここでは、前述と同様に、固定パターンで基本クロック信号を変調して得られた漏洩防止信号を用いた場合を例として、ドットクロック周波数成分ｆ0＝６５ＭＨｚ（ＸＧＡ）の６倍（Ｎ＝６）の高調波成分０．３９ＧＨｚ（ｆ0×６）をキャリアとする周波数スペクトルが示されている。
【００４６】
図４によれば、情報処理装置単体で動作させた場合および従来の固定パターン変調方式を用いた場合と比較して、不要電磁波のキャリアとなる周波数の側波帯の全体において、不要電磁波の側波帯成分レベルが大幅に増加していることが分かる。これは、本実施の形態で得られる漏洩防止信号には、十分なレベルの側波帯成分が含まれていることを示している。したがって、不要電磁波の側波帯成分を用いた元の画像情報の再生を極めて困難にすることができる。また、スペクトル拡散クロッキング処理による拡散効果により、不要電磁波のキャリア周波数における放射電界強度が低減されていることも分かる。
【００４７】
［第１の実施の形態の効果］
このように、本実施の形態は、情報処理装置２０、情報処理装置２０に外部接続された画面表示装置、またはこれら情報処理装置２０や画面表示装置に接続された信号ケーブルや電源ケーブルなどのケーブルから、不要電磁波で漏洩する画像情報のキャリア周波数に同期した基本クロック信号ＢＣに対して、スペクトル拡散変調部１２でスペクトル拡散クロッキング処理を行うことにより、スペクトル拡散クロック信号ＳＣを生成し、変調パターン生成部１３により、スペクトル拡散クロック信号ＳＣの各パルスに符号ビットデータが同期するＰＮ符号を生成し変調パターン信号ＭＰとして出力するとともに、画像信号２１の水平同期信号Ｈで当該ＰＮ符号の繰り返し周期をリセットし、変調クロック生成部１４で、スペクトル拡散クロック信号ＳＣを変調パターン信号ＭＰで変調することにより変調クロック信号ＭＣを生成し、この変調クロック信号ＭＣを増幅することにより漏洩防止信号ＪＣを生成している。
【００４８】
これにより、情報処理装置単体で動作させた場合および従来の固定パターン変調方式を用いた場合と比較して、不要電磁波のキャリアとなる周波数の側波帯の全体に対して、十分なレベルの側波帯成分を含む漏洩防止信号を生成することができる。したがって、不要電磁波の側波帯成分を用いた元の画像情報の再生を極めて困難にすることができ、有用な漏洩防止効果を得ることが可能となる。
また、不要電磁波のキャリア周波数における放射電界強度を、ＶＣＣＩ（Voluntary Control Council for Information Technology Equipment）などの規制レベル内まで容易に低減させることができる。
【００４９】
また、本実施の形態では、基本クロック生成部１１において、前述した１つ目の方法に基づいて、基本クロック信号ＢＣの周波数として、情報処理装置２０に外部接続される画面表示装置に対して情報処理装置２０から外部出力される画像信号２１のドッククロック周波数またはその高調波周波数を用いてもよい。
これにより、情報処理装置２０内部の画面表示装置、あるいは情報処理装置２０に外部接続される画面表示装置において、画像信号２１のドッククロック周波数を用いて画像情報を表示している場合、これら画面表示装置または当該画面表示装置に接続された信号ケーブルや電源ケーブルなどのケーブルから放射される不要電磁波による画像情報の漏洩を、極めて効果的に防止することができる。
【００５０】
また、本実施の形態では、基本クロック生成部１１において、前述した２つ目の方法に基づいて、基本クロック信号ＢＣの周波数として、予め情報漏洩防止装置１０に設定された周波数であって、かつ不要電磁波で漏洩する画像情報のキャリア周波数またはその高調波周波数を用いてもよい。
これにより、情報処理装置２０内部の画面表示装置、あるいは情報処理装置２０に外部接続される画面表示装置において、画像信号２１のドッククロック周波数とは別個のドットクロック周波数を用いて画像情報を表示している場合であっても、不要電磁波による画像情報の漏洩を、極めて効果的に防止することができる。
【００５１】
また、本実施の形態において、変調パターン生成部１３で変調パターン信号ＭＰを生成する際に用いるＰＮ符号の初期値や段数については、情報漏洩防止装置１０の外部から設定するようにしてもよい。具体的には、ＰＮ符号の初期値や段数が異なる複数のファームウェアを予め情報漏洩防止装置１０に設定しておき、情報漏洩防止装置１０の外部からの操作によって、所望の初期値や段数のファームウェアを選択する方法や、情報漏洩防止装置１０に設けたデータ入出力インターフェス部を介して、任意の初期値や段数のファームウェアを外部から情報漏洩防止装置１０へ登録する方法がある。
これにより、ＰＮ符号の初期値や段数を容易に変更して、不要電磁波の放射特性に応じた漏洩防止信号ＪＣを容易に生成することができ、１つの情報漏洩防止装置１０で異なる放射特性の不要電磁波に広く対応することができる。
【００５２】
［第２の実施の形態］
次に、図５を参照して、本発明の第２の実施の形態にかかる情報漏洩防止装置について説明する。図５は、第２の実施の形態にかかる情報漏洩防止装置の構成を示すブロック図である。
本実施の形態は、第１の実施の形態と比較して、変調パターン生成部１３でＰＮ符号の繰り返し周期をリセットする際、画像信号２１の水平同期信号Ｈではなく、垂直同期信号Ｖに基づきＰＮ符号の繰り返し周期をリセットする点が異なる。この他の構成については、第１の実施の形態と同様であり、ここでの詳細な説明は省略する。
【００５３】
図６は、第２の実施の形態にかかる漏洩防止信号を重畳した不要電磁波からの再生画像例である。なお、図６はあくまでも模式図であり、再生画像を忠実に表現したものではない。この例では、元の画像情報に対して、垂直同期信号Ｖの周期を繰り返し周期とするＰＮ符号からなるランダムな斑模様のマスクパターンが合成されている。また、基本クロック信号ＢＣをスペクトル拡散クロッキング処理したスペクトル拡散クロック信号を用いて、漏洩防止信号ＪＣを生成しているため、マスクパターンが合成された合成画像自体が、水平方向（画面左右方向）に滲んで表示されている。
【００５４】
図７は、第２の実施の形態にかかる情報漏洩防止装置を用いた場合における不要電磁波の周波数スペクトルである。ここでは、前述と同様に、固定パターンで基本クロック信号を変調して得られた漏洩防止信号を用いた場合を例として、ドットクロック周波数成分ｆ0＝６５ＭＨｚ（ＸＧＡ）の６倍（Ｎ＝６）の高調波成分０．３９ＧＨｚ（ｆ0×６）をキャリアとする周波数スペクトルが示されている。
【００５５】
図７によれば、情報処理装置単体で動作させた場合および従来の固定パターン変調方式を用いた場合と比較して、不要電磁波のキャリアとなる周波数の側波帯の全体において、不要電磁波の側波帯成分レベルが大幅に増加していることが分かる。これは、本実施の形態で得られる漏洩防止信号には、十分なレベルの側波帯成分が含まれていることを示している。したがって、不要電磁波の側波帯成分を用いた元の画像情報の再生を極めて困難にすることができる。また、スペクトル拡散クロッキング処理による拡散効果により、不要電磁波のキャリア周波数における放射電界強度が低減されていることも分かる。
【００５６】
［第２の実施の形態の効果］
ＬＣＤなどの画面表示装置を内蔵したノートＰＣなどの情報処理装置では、内蔵の画面表示装置で用いる画像信号の水平同期周波数として、情報処理装置から外部出力される画像信号で用いられる標準的な水平同期周波数とは異なる、独自の周波数を用いている場合がある。このような例において、外部出力される画像信号の水平同期信号に基づき漏洩防止信号を生成した場合、不要電磁波に含まれる元の画像信号に対して、漏洩防止信号が同期しないことから、十分な漏洩防止効果が得られない場合がある。
【００５７】
本実施の形態によれば、情報処理装置から外部出力される画像信号の垂直同期信号に基づき漏洩防止信号を生成したので、内部画像信号と外部画像信号とで水平同期周波数が異なる場合でも、不要電磁波に含まれる元の画像信号に対して、漏洩防止信号を同期させることができる。これは、垂直同期信号として、いずれの情報処理装置においても標準的な周波数が用いられているからである。したがって、内部画像信号と外部画像信号とで水平同期周波数が異なる情報処理装置に対しても、十分な漏洩防止効果が得られる。
【００５８】
また、本実施の形態によれば、情報処理装置単体で動作させた場合および従来の固定パターン変調方式を用いた場合と比較して、不要電磁波の側波帯成分レベルが大幅に増加している。また、第１の実施の形態のように水平同期信号でＰＮ符号の繰り返し周期をリセットする場合と比較しても、不要電磁波の側波帯成分レベルが増加していることがわかる。
【００５９】
これは、ＰＮ符号の繰り返しが水平同期周期ＨＳＹＮＣではなく、より期間長が長い垂直同期周期ＶＳＹＮＣでリセットされるため、より大きな拡散効果が得られるためである。したがって、不要電磁波の側波帯成分を用いた元の画像情報の再生を極めて困難にすることができる。
また、第１の実施の形態と同様に、不要電磁波のキャリア周波数における放射電界強度を、ＶＣＣＩなどの規制レベル内まで容易に低減させることができる。
【００６０】
［第３の実施の形態］
次に、図８を参照して、本発明の第３の実施の形態にかかる情報漏洩防止装置について説明する。図８は、第３の実施の形態にかかる情報漏洩防止装置の構成を示すブロック図である。
本実施の形態は、第２の実施の形態と比較して、スペクトル拡散変調部１２と変調パターン生成部１３との間に分周部１６を設けるとともに、スペクトル拡散変調部１２と変調クロック生成部１４との間に分周部１７を設けた点が異なる。この他の構成については、第１の実施の形態と同様であり、ここでの詳細な説明は省略する。
【００６１】
分周部１６は、一般的なクロック分周回路からなり、スペクトル拡散変調部１２から入力されたスペクトル拡散クロック信号ＳＣをｍ（ｍは正整数）分周することによりスペクトル拡散クロック信号ＳＣｍを生成して変調パターン生成部１３へ出力する機能を有している。
【００６２】
分周部１７は、一般的なクロック分周回路からなり、スペクトル拡散変調部１２から入力されたスペクトル拡散クロック信号ＳＣをｎ（ｎは正整数）分周することによりスペクトル拡散クロック信号ＳＣｎを生成して変調クロック生成部１４へ出力する機能を有している。
【００６３】
［第３の実施の形態の動作］
次に、図９を参照して、本実施の形態にかかる情報漏洩防止装置の動作について説明する。図９は、第３の実施の形態にかかる情報漏洩防止装置の動作を示すタイミングチャートである。
【００６４】
分周部１６は、スペクトル拡散変調部１２から入力されたスペクトル拡散クロック信号ＳＣをｍ分周、この例では４分周（ｍ＝４）することによりスペクトル拡散クロック信号ＳＣｍを生成する。
【００６５】
変調パターン生成部１３は、分周部１６から入力されたスペクトル拡散クロック信号ＳＣｍのビットレートでＰＮ符号を生成する。この際、変調パターン生成部１３は、画像信号２１の垂直同期信号Ｖにより、当該ＰＮ符号の繰り返し周期をリセットする。これにより、垂直同期信号Ｖの周期を繰り返し周期とするＰＮ符号からなる変調パターン信号ＭＰが生成される。
【００６６】
一方、分周部１７は、スペクトル拡散変調部１２から入力されたスペクトル拡散クロック信号ＳＣをｎ分周、この例では３分周（ｎ＝３）することによりスペクトル拡散クロック信号ＳＣｎを生成する。
【００６７】
変調クロック生成部１４は、スペクトル拡散変調部１２から入力されたスペクトル拡散クロック信号ＳＣｎを、変調パターン生成部１３から入力された変調パターン信号ＭＰで変調する。これにより、スペクトル拡散クロック信号ＳＣの各ビットが、スペクトル拡散クロック信号ＳＣｍのビットレートを持つ変調パターン信号ＭＰの各ビットで変調された変調クロック信号ＭＣが生成される。
【００６８】
［第３の実施の形態の効果］
ＬＣＤなどの画面表示装置を内蔵したノートＰＣなどの情報処理装置では、内蔵の画面表示装置で用いる画像信号に含まれるドットクロック周波数ｆ0として、情報処理装置から外部出力される画像信号で用いられる標準的なドットクロック周波数ｆSとは異なる、独自の周波数を用いている場合がある。このような例では、情報処理装置または当該情報処理装置に接続された信号ケーブルや電源ケーブルなどのケーブルから放射される不要電磁波に含まれる元の画像信号に対して、漏洩防止信号が同期しないことから、十分な漏洩防止効果が得られない場合がある。また、情報処理装置に外部接続された画面表示装置において、情報処理装置から外部出力された画像信号で使用される標準的な規格や解像度に沿ったドットクロック周波数とは異なる周波数を、装置内部の画面表示に使用している場合も同様である。
【００６９】
図１０は、ドットクロック周波数の違いによる不要電磁波の周波数スペクトルである。ここでは、情報処理装置単体で動作させた場合の周波数スペクトルと、ドットクロック周波数ｆSの漏洩防止信号を用いた場合の周波数スペクトルとのレベル差が小さい。これは、内蔵の画面表示装置で用いる画像信号に含まれるドットクロック周波数ｆ0が、漏洩防止信号を生成した基本クロック信号の周波数ｆSと異なるからである。このため、十分な漏洩防止効果が得られない場合がある。
【００７０】
本実施の形態によれば、分周部１６，１７により、スペクトル拡散クロック信号ＳＣを、任意の分周比ｍ，ｎで分周したスペクトル拡散クロック信号で、変調クロック信号ＭＣを生成することができる。したがって、漏洩防止信号ＪＣをより広い周波数帯域へ拡散させることができる。
【００７１】
図１１は、第３の実施の形態にかかる情報漏洩防止装置を用いた場合における不要電磁波の周波数スペクトルである。ここでは、情報処理装置単体で動作させた場合の周波数スペクトルと、ドットクロック周波数ｆSの漏洩防止信号を用いた場合の周波数スペクトルとのレベル差が増大している。このため、内蔵の画面表示装置で用いる画像信号に含まれるドットクロック周波数ｆ0が、漏洩防止信号を生成した基本クロック信号の周波数ｆSと異なる場合でも、十分な漏洩防止効果が得られる。
また、第１の実施の形態と同様に、不要電磁波のキャリア周波数における放射電界強度を、ＶＣＣＩなどの規制レベル内まで容易に低減させることができる。
【００７２】
また、本実施の形態において、分周部１６，１７の分周比については、前述した基本クロック信号ＢＣの周波数情報と同様に、情報漏洩防止装置１０の外部から設定するようにしてもよい。具体的には、これら分周部１６，１７の分周比が異なる複数のファームウェアを予め情報漏洩防止装置１０に設定しておき、情報漏洩防止装置１０の外部からの操作によって、所望の分周比のファームウェアを選択する方法や、情報漏洩防止装置１０に設けたデータ入出力インターフェス部を介して、任意の分周比のファームウェアを外部から情報漏洩防止装置１０へ登録する方法がある。
これにより、分周部１６，１７の分周比を容易に変更して、不要電磁波の放射特性に応じた漏洩防止信号ＪＣを容易に生成することができ、１つの情報漏洩防止装置１０で異なる放射特性の不要電磁波に広く対応することができる。
【００７３】
［第４の実施の形態］
次に、図１２を参照して、本発明の第４の実施の形態にかかる情報漏洩防止装置について説明する。図１２は、第４の実施の形態にかかる情報漏洩防止装置の構成を示すブロック図である。
本実施の形態は、第３の実施の形態と比較して、分周部１６と変調パターン生成部１３との間にタイミング変動部１８を設けた点が異なる。この他の構成については、第３の実施の形態と同様であり、ここでの詳細な説明は省略する。
【００７４】
タイミング変動部１８は、分周部１６から入力されたスペクトル拡散クロック信号ＳＣｍを信号処理することにより、スペクトル拡散クロック信号ＳＣｍのパルスタイミングを変動させたタイミング変動信号ＳＣｐを生成して変調パターン生成部１３へ出力する機能を有している。変調パターン生成部１３は、このタイミング変動信号ＳＣｐに基づくタイミングでＰＮ符号を発生させる。
これにより、ＰＮ符号を生成するタイミングが時間的に変化するため、そのランダム性を高めることができ、結果として漏洩防止信号ＪＣをより広い帯域に拡散することが可能となる。
【００７５】
タイミング変動部１８の具体的構成例としては、いくつか考えられる。図１３Ａ〜図１３Ｃは、タイミング変動部１８の具体的構成例である。図１４Ａ〜図１４Ｃは、これら具体的構成を適用した場合における、第４の実施の形態にかかる情報漏洩防止装置の動作を示すタイミングチャートである。
【００７６】
図１３Ａの具体例では、入力されたスペクトル拡散クロック信号ＳＣｍを、分周部１７からのスペクトル拡散クロック信号ＳＣｎで、排他的論理和演算により変調することにより、タイミング変動信号ＳＣｐを生成するゲート部１８Ａが設けられている。図１４Ａのタイミングチャートでは、分周部１６での分周比をｍ＝４とし、分周部１７での分周比をｎ＝１とした例が示されている。この例では、変調パターン生成部１３において、タイミング変動信号ＳＣｐの立ち上がりタイミングでＰＮ符号を生成している。
これにより、簡素な回路構成で、スペクトル拡散クロック信号ＳＣｍのパルスタイミングを変動させることができる。
【００７７】
図１３Ｂの具体例では、入力されたスペクトル拡散クロック信号ＳＣｍを遅延させた遅延信号ＳＣｄを生成する遅延部１８Ｂと、この遅延信号ＳＣｄを、分周部１７からのスペクトル拡散クロック信号ＳＣｎで、排他的論理和演算により変調することにより、タイミング変動信号ＳＣｐを生成するゲート部１８Ａとが設けられている。図１４Ｂのタイミングチャートでは、分周部１６での分周比をｍ＝４とし、分周部１７での分周比をｎ＝１とした例が示されている。この例では、変調パターン生成部１３において、タイミング変動信号ＳＣｐの立ち上がりタイミングでＰＮ符号を生成している。
これにより、図１３Ａのタイミング変動部に比較して、スペクトル拡散クロック信号ＳＣｍのパルスタイミングを、より複雑に変動させることができる。
【００７８】
図１３Ｃの具体例では、入力されたスペクトル拡散クロック信号ＳＣｍのパルスをパルス変調することにより、タイミング変動信号ＳＣｐを生成するパルス変調部１８Ｃが設けられている。パルス変調部１８Ｃでのパルス変調方式としては、例えば、スペクトル拡散クロック信号ＳＣｍのパルスの立ち上がりタイミングで、所定幅のパルスを出力するなど、一般的なパルス変調方式を用いればよい。図１４Ｃのタイミングチャートでは、分周部１６での分周比をｍ＝２とし、分周部１７での分周比をｎ＝２とした例が示されている。この例では、変調パターン生成部１３において、タイミング変動信号ＳＣｐの立ち上がりタイミングおよび立ち下がりタイミングでＰＮ符号を生成している。
これにより、分周部１７からのスペクトル拡散クロック信号ＳＣｎを用いることなく、スペクトル拡散クロック信号ＳＣｍのパルスタイミングを変動させることができる。
【００７９】
また、本実施の形態において、タイミング変動部１８でタイミング変動信号ＳＣｐを生成する際に用いるスペクトル拡散クロック信号ＳＣｍのパルスタイミングについては、情報漏洩防止装置１０の外部から設定するようにしてもよい。具体的には、スペクトル拡散クロック信号ＳＣｍのパルスタイミングが異なる複数のファームウェアを予め情報漏洩防止装置１０に設定しておき、情報漏洩防止装置１０の外部からの操作によって、所望のパルスタイミングを選択する方法や、情報漏洩防止装置１０に設けたデータ入出力インターフェス部を介して、任意のパルスタイミングを外部から情報漏洩防止装置１０へ登録する方法がある。
これにより、スペクトル拡散クロック信号ＳＣｍのパルスタイミングを容易に変更して、不要電磁波の放射特性に応じた漏洩防止信号ＪＣを容易に生成することができ、１つの情報漏洩防止装置１０で異なる放射特性の不要電磁波に広く対応することができる。
【００８０】
［第５の実施の形態］
次に、図１５を参照して、本発明の第５の実施の形態にかかる情報漏洩防止装置について説明する。図１５は、第５の実施の形態にかかる情報漏洩防止装置の構成を示すブロック図である。
本実施の形態は、第１の実施の形態と比較して、基本クロック生成部１１で、基本クロック信号ＢＣとして、互いの周波数が整数倍の関係および整数分の１の関係のいずれともならない複数の個別基本クロック信号ＢＣＡ，ＢＣＢを生成し、スペクトル拡散変調部１２、変調パターン生成部１３、および変調クロック生成部１４の組からなる変調処理部１９Ａ，１９Ｂを、個別基本クロック信号ＢＣＡ，ＢＣＢごとに並列的に設け、これら変調処理部１９Ａ，１９Ｂごとに得られた個別変調クロック信号ＭＣＡ，ＭＣＢを出力合成部１９Ｓで合成する点が異なる。
【００８１】
各変調処理部１９Ａ，１９Ｂは、入力される個別基本クロック信号ＢＣＡ，ＢＣＢが互いに異なるものの、回路構成および動作は同じである。すなわち、変調処理部１９Ａには、スペクトル拡散変調部１２Ａ、変調パターン生成部１３Ａ、および変調クロック生成部１４Ａが設けられており、変調処理部１９Ｂには、スペクトル拡散変調部１２Ｂ、変調パターン生成部１３Ｂ、および変調クロック生成部１４Ｂが設けられている。
【００８２】
スペクトル拡散変調部１２Ａ（１２Ｂ）は、入力された個別基本クロック信号ＢＣＡ（ＢＣＢ）に対してスペクトル拡散クロッキング処理を行うことにより、個別スペクトル拡散クロック信号ＳＣＡ（ＳＣＢ）を生成する。
変調パターン生成部１３Ａ（１３Ｂ）は、個別スペクトル拡散クロック信号ＳＣＡ（ＳＣＢ）の各パルスに符号ビットデータが同期するＰＮ符号を個別変調パターン信号ＭＰＡ（ＭＰＢ）として出力するとともに、水平同期信号Ｈで当該ＰＮ符号の繰り返し周期をリセットする。
変調クロック生成部１４Ａ（１４Ｂ）は、個別スペクトル拡散クロック信号ＳＣＡ（ＳＣＢ）を個別変調パターン信号ＭＰＡ（ＭＰＢ）で変調することにより個別変調クロック信号ＭＣＡ（ＭＣＢ）を生成する。
【００８３】
出力合成部１９Ｓは、変調処理部１９Ａ，１９Ｂの変調クロック生成部１４Ａ，１４Ｂのそれぞれで生成された個別変調クロック信号ＭＣＡ，ＭＣＢを合成して合成変調クロック信号ＭＣＳを生成する。
出力増幅部１５は、出力合成部１９Ｓからの合成変調クロック信号ＭＣＳを増幅することにより漏洩防止信号ＪＣを生成する。
【００８４】
図１６および図１７は、第５の実施の形態にかかる情報漏洩防止装置を用いた場合における不要電磁波の周波数スペクトルであり、図１６は、水平同期信号ＨでＰＮ符号の繰り返し周期をリセットした例であり、図１７は、垂直同期信号ＶでＰＮ符号の繰り返し周期をリセットした例である。ここでは、前述と同様に、２つの個別基本クロック信号ＢＣＡ（６０ＭＨｚ）と個別基本クロック信号ＢＣＢ（６６ＭＨｚ）を用いて得られた漏洩防止信号を用いた場合を例として、ドットクロック周波数成分ｆ０＝６５ＭＨｚ（ＸＧＡ）の６倍（Ｎ＝６）の高調波成分０．３９ＧＨｚ（ｆ０×６）をキャリアとする周波数スペクトルが示されている。
【００８５】
図１６および図１７のいずれについても、情報処理装置単体で動作させた場合および従来の固定パターン変調方式を用いた場合と比較して、不要電磁波のキャリアとなる周波数の側波帯の全体において、不要電磁波の側波帯成分レベルが大幅に増加していることが分かる。これは、本実施の形態で得られる漏洩防止信号には、十分なレベルの側波帯成分が含まれていることを示している。したがって、不要電磁波の側波帯成分を用いた元の画像情報の再生を極めて困難にすることができる。また、スペクトル拡散クロッキング処理による拡散効果により、不要電磁波のキャリア周波数における放射電界強度が低減されていることも分かる。
【００８６】
［第５の実施の形態の効果］
このように、本実施の形態では、互いの周波数が整数倍の関係および整数分の１の関係のいずれともならない複数の個別基本クロック信号ＢＣＡ，ＢＣＢを、それぞれスペクトル拡散クロッキング処理した後にＰＮ符号により変調することにより、個別変調クロック信号ＭＣＡ，ＭＣＢを生成し、これらを合成した合成変調クロック信号ＭＣＳから漏洩防止信号ＪＣを生成するようにしたので、第１の実施の形態と同様のレベル、あるいはそれ以上のレベルの側波帯成分を含む漏洩防止信号を生成することができる。したがって、不要電磁波の側波帯成分を用いた元の画像情報の再生を極めて困難にすることができ、有用な漏洩防止効果を得ることが可能となる。
【００８７】
また、本実施の形態では、基本クロック生成部１１で、互いの周波数が整数倍の関係および整数分の１の関係のいずれともならない複数の個別基本クロック信号ＢＣＡ，ＢＣＢを生成するようにしたので、漏洩防止信号ＪＣのスペクトルが重なり合うことによるスペクトルの偏りを回避することができ、いずれの周波数においても不要電磁波の漏洩を十分に防止することができる。
【００８８】
また、実験によれば、個別基本クロック信号ＢＣＡ，ＢＣＢの周波数について、これらの周波数の差を１０％程度とした場合に最も高い漏洩防止効果が得られた。但し、この周波数の最適な差は、スペクトル拡散クロッキングでの拡散率等の条件に依存し変動する。
なお、本実施の形態では、２つの変調処理部１９Ａ，１９Ｂを設けた場合を例として説明したが、３つ以上の変調処理部を設けた場合でも同様である。また、本実施の形態は、第１の実施の形態に基づいた構成を例として説明したが、これに限定されるものではなく、第２〜第４の実施の形態で説明したそれぞれの構成に適用してもよい。
【００８９】
［第６の実施の形態］
次に、図１８を参照して、本発明の第６の実施の形態にかかる情報漏洩防止装置について説明する。図１８は、第６の実施の形態にかかる情報漏洩防止装置の構成を示すブロック図である。
本実施の形態は、第１の実施の形態と比較して、基本クロック生成部１１で、不要電磁波で漏洩する画像情報のキャリア周波数およびその高調波周波数と、画像信号に含まれる水平同期信号および垂直同期信号とに関係せずに、基本クロック信号ＢＣを生成する点が異なる。
【００９０】
すなわち、基本クロック生成部１１で、自律的にクロック信号を発生させるクロック信号発振回路を含み、このクロック信号発振回路で発生させたクロック信号を、基本クロック信号ＢＣとして出力すればよい。あるいは、クロック信号発振回路で発生させたクロック信号を入力として、一般的なＰＬＬ回路や逓倍回路などのクロック生成回路を用いて生成した信号を、基本クロック信号ＢＣとして出力するようにしてもよい。
この際、基本クロック信号ＢＣは、不要電磁波で漏洩する画像情報のキャリア周波数やその高調波周波数とは異なる周波数であってもよく、画像信号に含まれる水平同期信号および垂直同期信号と同期していなくてもよい。
【００９１】
図１９および図２０は、第６の実施の形態にかかる情報漏洩防止装置を用いた場合における不要電磁波の周波数スペクトルであり、図１９は、水平同期信号ＨでＰＮ符号の繰り返し周期をリセットした例であり、図２０は、垂直同期信号ＶでＰＮ符号の繰り返し周期をリセットした例である。ここでは、前述と同様に、画像信号に含まれる水平同期信号および垂直同期信号とに関係せずに自律的に発生させた基本クロック信号ＢＣ（８０ＭＨｚ）を用いて得られた漏洩防止信号を用いた場合を例として、ドットクロック周波数成分ｆ０＝６５ＭＨｚ（ＸＧＡ）の６倍（Ｎ＝６）の高調波成分０．３９ＧＨｚ（ｆ０×６）をキャリアとする周波数スペクトルが示されている。
【００９２】
図１９および図２０のいずれについても、情報処理装置単体で動作させた場合および従来の固定パターン変調方式を用いた場合と比較して、不要電磁波のキャリアとなる周波数の側波帯の全体において、不要電磁波の側波帯成分レベルが大幅に増加していることが分かる。これは、本実施の形態で得られる漏洩防止信号には、十分なレベルの側波帯成分が含まれていることを示している。したがって、不要電磁波の側波帯成分を用いた元の画像情報の再生を極めて困難にすることができる。また、スペクトル拡散クロッキング処理による拡散効果により、不要電磁波のキャリア周波数における放射電界強度が低減されていることも分かる。
【００９３】
［第６の実施の形態の効果］
前述したように、従来技術が防止信号として周波数が離散的なスペクトルを生成していたのに対し、本発明は、ＰＮ符号やスペクトル拡散クロッキングを用いて、周波数が連続的で高密度のスペクトルを生成することに特徴がある。このようなスペクトルの漏洩防止信号ＪＣを生成することにより、不要電磁波の側波帯成分を用いた元の画像情報の再生を極めて困難にすることができ、有用な漏洩防止効果を得ることが可能となる。
したがって、基本クロックが、画像信号の水平同期信号または垂直同期信号と同期する必要はない。また、情報処理装置から外部出力される画像信号のドットクロック周波数またはその高調波周波数からなるクロック周波数を有する必要もない。さらには、予め情報漏洩防止装置に設定された周波数であってかつ画像情報のキャリア周波数またはその高調波周波数からなるクロック周波数を有する必要もない。
【００９４】
このため、基本クロック生成部１１で、不要電磁波で漏洩する画像情報のキャリア周波数およびその高調波周波数と、画像信号に含まれる水平同期信号および垂直同期信号とに関係せずに、例えば、数十ＭＨｚ程度の独立した非同期の基本クロックを自律的に生成しても、所望のスペクトルを有する漏洩防止信号ＪＣを得ることができ、有用な漏洩防止効果を得ることが可能となる。
これにより、情報処理装置または外部接続される画面表示装置の機種ごとに、基本クロックを設定し直す必要がなくなり、ユニバーサルな情報漏洩防止装置を実現できる。
なお、本実施の形態は、第１の実施の形態に基づいた構成を例として説明したが、これに限定されるものではなく、第２〜第５の実施の形態で説明したそれぞれの構成に適用してもよい。
【００９５】
［第７の実施の形態］
次に、図２１を参照して、本発明の第７の実施の形態にかかる情報漏洩防止装置について説明する。図２１は、第７の実施の形態にかかる情報漏洩防止装置の構成を示すブロック図である。
本実施の形態は、第１の実施の形態と比較して、変調パターン生成部１３と変調クロック生成部１４が削除されており、スペクトル拡散変調部１２で生成されたスペクトル拡散クロック信号ＳＣが、直接、出力増幅部１５に入力されて増幅され、漏洩防止信号ＪＣが生成されている。
【００９６】
［第７の実施の形態の効果］
したがって、基本クロック信号ＢＣに対して、ＰＮ符号を用いた変調が適用されないものの、スペクトル拡散クロッキング処理が行われるため、基本クロック信号ＢＣが拡散処理される。これにより、変調パターン生成部１３と変調クロック生成部１４にかかる回路規模やコストを削減しつつ、不要電磁波のキャリアとなる周波数の側波帯の全体に対して、一定のレベルの側波帯成分が含まれた漏洩防止信号ＪＣを得ることができることから、不要電磁波の側波帯成分を用いた元の画像情報の再生を極めて困難にすることができ、有用な漏洩防止効果を得ることが可能となる。また、本実施の形態は、第２、第５、第６の実施の形態で説明したそれぞれの構成に適用してもよい。
【００９７】
［第８の実施の形態］
次に、図２２を参照して、本発明の第８の実施の形態にかかる情報漏洩防止装置について説明する。図２２は、第８の実施の形態にかかる情報漏洩防止装置の構成を示すブロック図である。
本実施の形態は、第１の実施の形態と比較して、スペクトル拡散変調部１２が省かれており、基本クロック生成部１１で生成された基本クロック信号ＢＣが、直接、変調パターン生成部１３と変調クロック生成部１４に入力されている。
【００９８】
これにより、変調パターン生成部１３は、基本クロック生成部１１で生成された基本クロック信号ＢＣの各パルスに符号ビットデータが同期するＰＮ符号を生成する。この際、変調パターン生成部１３は、画像信号２１の水平同期信号Ｈにより、当該ＰＮ符号の繰り返し周期をリセットする。これにより、水平同期信号Ｈの周期を繰り返し周期とするＰＮ符号からなる変調パターン信号ＭＰが生成される。
【００９９】
また、変調クロック生成部１４は、基本クロック生成部１１で生成された基本クロック信号ＢＣを、変調パターン生成部１３から入力された変調パターン信号ＭＰで変調する。これにより、基本クロック信号ＢＣの各パルスが、変調パターン信号ＭＰの各ビットで変調された変調クロック信号ＭＣが生成され、出力増幅部１５で増幅されて漏洩防止信号ＪＣが生成される。
【０１００】
［第８の実施の形態の効果］
したがって、基本クロック信号ＢＣに対して、スペクトル拡散クロッキング処理が行われないものの、ＰＮ符号を用いた変調が適用されるため、基本クロック信号ＢＣが拡散処理される。これにより、スペクトル拡散変調部１２にかかる回路規模やコストを削減しつつ、不要電磁波のキャリアとなる周波数の側波帯の全体に対して、一定のレベルの側波帯成分が含まれた漏洩防止信号ＪＣを得ることができることから、不要電磁波の側波帯成分を用いた元の画像情報の再生を極めて困難にすることができ、有用な漏洩防止効果を得ることが可能となる。また、本実施の形態は、第２〜第６の実施の形態で説明したそれぞれの構成に適用してもよい。
【０１０１】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【０１０２】
１０…情報漏洩防止装置、１１…基本クロック生成部、１２，１２Ａ，１２Ｂ…スペクトル拡散変調部、１３，１３Ａ，１３Ｂ…変調パターン生成部、１４，１４Ａ，１４Ｂ…変調クロック生成部、１５…出力増幅部、１６…分周部（ｍ分周）、１７…分周部（ｎ分周）、１８…タイミング変動部、１８Ａ…ゲート部、１８Ｂ…遅延部、１８Ｃ…パルス変調部、１９Ａ，１９Ｂ…変調処理部、１９Ｓ…出力合成部、２０…情報処理装置、２１…画像信号、Ｈ…水平同期信号、Ｖ…垂直同期信号、ＢＣ…基本クロック信号、ＢＣＡ，ＢＣＢ…個別基本クロック信号、ＳＣ…スペクトル拡散クロック信号、ＳＣＡ，ＳＣＢ…個別スペクトル拡散クロック信号、ＭＰ…変調パターン信号、ＭＰＡ，ＭＰＢ…個別変調パターン信号、ＭＣ…変調クロック信号、ＭＣＡ，ＭＣＢ…個別変調クロック信号、ＭＣＳ…合成変調クロック信号、ＪＣ…漏洩防止信号、ＳＣｍ…スペクトル拡散クロック信号（ｍ分周）、ＳＣｎ…スペクトル拡散クロック信号（ｎ分周）、ｆ0，ｆS…ドットクロック周波数。
【図１】
2011027623.tif 000003
【図２】
2011027623.tif 000004
【図３】
2011027623.tif 000005
【図４】
2011027623.tif 000006
【図５】
2011027623.tif 000007
【図６】
2011027623.tif 000008
【図７】
2011027623.tif 000009
【図８】
2011027623.tif 000010
【図９】
2011027623.tif 000011
【図１０】
2011027623.tif 000012
【図１１】
2011027623.tif 000013
【図１２】
2011027623.tif 000014
【図１３Ａ】
2011027623.tif 000015
【図１３Ｂ】
2011027623.tif 000016
【図１３Ｃ】
2011027623.tif 000017
【図１４Ａ】
2011027623.tif 000018
【図１４Ｂ】
2011027623.tif 000019
【図１４Ｃ】
2011027623.tif 000020
【図１５】
2011027623.tif 000021
【図１６】
2011027623.tif 000022
【図１７】
2011027623.tif 000023
【図１８】
2011027623.tif 000024
【図１９】
2011027623.tif 000025
【図２０】
2011027623.tif 000026
【図２１】
2011027623.tif 000027
【図２２】
2011027623.tif 000028
【図２３】
2011027623.tif 000029
【図２４】
2011027623.tif 000030
【図２５】
2011027623.tif 000031
【図２６】
2011027623.tif 000032
【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
情報処理装置で生成された画像信号に基づいて、当該画像信号の信号成分を含む不要電磁波による画像情報の漏洩を防止するための漏洩防止信号を生成する情報漏洩防止装置であって、
前記不要電磁波で漏洩する前記画像情報のキャリア周波数またはその高調波周波数を有し、かつ前記画像信号に含まれる水平同期信号または垂直同期信号と同期する基本クロック信号を生成する基本クロック生成部と、
前記基本クロック信号に対してスペクトル拡散クロッキング処理を行うことにより、スペクトル拡散クロック信号を生成するスペクトル拡散変調部と、
前記スペクトル拡散クロック信号の各パルスに符号ビットデータが同期するＰＮ（Ｐｓｅｕｄｏ  Ｎｏｉｓｅ）符号を変調パターン信号として出力するとともに、前記水平同期信号で当該ＰＮ符号の繰り返し周期をリセットする変調パターン生成部と、
前記スペクトル拡散クロック信号を前記変調パターン信号で変調することにより、変調クロック信号を生成する変調クロック生成部と、
前記変調クロック信号を増幅することにより前記漏洩防止信号を生成する出力増幅部と
を備えることを特徴とする情報漏洩防止装置。
【請求項２】
請求項１に記載の情報漏洩防止装置において、
前記変調パターン生成部は、前記水平同期信号に代えて、前記垂直同期信号で当該ＰＮ符号の繰り返し周期をリセットすることを特徴とする情報漏洩防止装置。
【請求項３】
請求項１に記載の情報漏洩防止装置において、
前記スペクトル拡散クロック信号をｍ（ｍは正整数）分周して前記変調パターン生成部へ入力する第１の分周部と、
前記スペクトル拡散クロック信号をｎ（ｎは正整数）分周して前記変調クロック生成部へ入力する第２の分周部と
をさらに備え、
前記変調パターン生成部は、前記第１の分周部でｍ分周された前記スペクトル拡散クロック信号の各パルスに符号ビットデータが同期する前記ＰＮ符号を生成し、
前記変調クロック生成部は、前記第２の分周部でｎ分周された前記スペクトル拡散クロック信号を前記変調パターン信号で変調することにより前記変調クロック信号を生成する
ことを特徴とする情報漏洩防止装置。
【請求項４】
請求項３に記載の情報漏洩防止装置において、
前記第１の分周部でｍ分周された前記スペクトル拡散クロック信号のパルスタイミングを変動させたタイミング変動信号を生成するタイミング変動部をさらに備え、
前記変調パターン生成部は、前記タイミング変動信号の各パルスに符号ビットデータが同期する前記ＰＮ符号を生成する
ことを特徴とする情報漏洩防止装置。
【請求項５】
請求項１に記載の情報漏洩防止装置において、
前記基本クロック信号のクロック周波数は、外部接続される画面表示装置に対して前記情報処理装置から外部出力される画像信号のドッククロック周波数またはその高調波周波数からなることを特徴とする情報漏洩防止装置。
【請求項６】
請求項１に記載の情報漏洩防止装置において、
前記基本クロック信号のクロック周波数は、予め当該情報漏洩防止装置に設定された周波数であって、かつ前記不要電磁波で漏洩する前記画像情報のキャリア周波数またはその高調波周波数からなることを特徴とする情報漏洩防止装置。
【請求項７】
請求項１に記載の、情報漏洩防止装置において、
前記基本クロック生成部は、前記基本クロック信号として互いの周波数が整数倍の関係および整数分の１の関係のいずれともならない複数の個別基本クロック信号を生成し、
前記スペクトル拡散変調部、前記変調パターン生成部、および前記変調クロック生成部の組が、前記個別基本クロック信号ごとに並列的に設けられて、
前記変調パターン生成部のそれぞれは、当該個別基本クロック信号に対してスペクトル拡散クロッキング処理を行うことにより、個別スペクトル拡散クロック信号を生成し、
前記変調パターン生成部のそれぞれは、当該個別スペクトル拡散クロック信号の各パルスに符号ビットデータが同期するＰＮ（Ｐｓｅｕｄｏ  Ｎｏｉｓｅ）符号を個別変調パターン信号として出力するとともに、前記水平同期信号で当該ＰＮ符号の繰り返し周期をリセットし、
前記変調クロック生成部のそれぞれは、当該個別スペクトル拡散クロック信号を前記個別変調パターン信号で変調することにより個別変調クロック信号を生成し、
前記各個別変調クロック信号を合成した合成変調クロック信号を生成する出力合成部をさらに備え、
前記出力増幅部は、前記合成変調クロック信号を増幅することにより前記漏洩防止信号を生成する
ことを特徴とする情報漏洩防止装置。
【請求項８】
請求項１に記載の情報漏洩防止装置において、
前記基本クロック生成部は、前記不要電磁波で漏洩する前記画像情報のキャリア周波数およびその高調波周波数と、前記画像信号に含まれる水平同期信号および垂直同期信号とに関係せずに、前記基本クロック信号を生成することを特徴とする情報漏洩防止装置。
【請求項９】
情報処理装置から外部出力された画像信号に基づいて、当該画像信号の信号成分を含む不要電磁波による画像情報の漏洩を防止するための漏洩防止信号を生成する情報漏洩防止方法であって、
前記不要電磁波で漏洩する前記画像情報のキャリア周波数またはその高調波周波数を有し、かつ前記画像信号に含まれる水平同期信号または垂直同期信号と同期する基本クロック信号を生成する基本クロック生成ステップと、
前記基本クロック信号に対してスペクトル拡散クロッキング処理を行うことにより、スペクトル拡散クロック信号を生成するスペクトル拡散変調ステップと、
前記スペクトル拡散クロック信号の各パルスに符号ビットデータが同期するＰＮ（Ｐｓｅｕｄｏ  Ｎｏｉｓｅ）符号を変調パターン信号として出力するとともに、前記水平同期信号で当該ＰＮ符号の繰り返し周期をリセットする変調パターン生成ステップと、
前記スペクトル拡散クロック信号を前記変調パターン信号で変調することにより、変調クロック信号を生成する変調クロック生成ステップと、
前記変調クロック信号を増幅することにより前記漏洩防止信号を生成する出力増幅ステップと
を備えることを特徴とする情報漏洩防止方法。
【請求項１０】
請求項９に記載の情報漏洩防止方法において、
前記変調パターン生成ステップは、前記水平同期信号に代えて、前記垂直同期信号で当該ＰＮ符号の繰り返し周期をリセットすることを特徴とする情報漏洩防止方法。
【請求項１１】
請求項９に記載の情報漏洩防止方法において、
前記スペクトル拡散クロック信号をｍ（ｍは正整数）分周する第１の分周ステップと、
前記スペクトル拡散クロック信号をｎ（ｎは正整数）分周する第２の分周ステップと
をさらに備え、
前記変調パターン生成ステップは、前記第１の分周ステップでｍ分周された前記スペクトル拡散クロック信号の各パルスに符号ビットデータが同期する前記ＰＮ符号を生成し、
前記変調クロック生成ステップは、前記第２の分周ステップでｎ分周された前記スペクトル拡散クロック信号を前記変調パターン信号で変調することにより前記変調クロック信号を生成する
ことを特徴とする情報漏洩防止方法。
【請求項１２】
請求項１１に記載の情報漏洩防止方法において、
前記第１の分周ステップでｍ分周された前記スペクトル拡散クロック信号のパルスタイミングを変動させたタイミング変動信号を生成するタイミング変動ステップをさらに備え、
前記変調パターン生成ステップは、前記タイミング変動信号の各パルスに符号ビットデータが同期する前記ＰＮ符号を生成する
ことを特徴とする情報漏洩防止方法。
【請求項１３】
請求項９に記載の情報漏洩防止方法において、
前記基本クロック信号のクロック周波数は、外部接続される画面表示装置に対して前記情報処理装置から外部出力される画像信号のドッククロック周波数またはその高調波周波数からなることを特徴とする情報漏洩防止方法。
【請求項１４】
請求項９に記載の情報漏洩防止方法において、
前記基本クロック信号のクロック周波数は、予め当該情報漏洩防止装置に設定された周波数であって、かつ前記不要電磁波で漏洩する前記画像情報のキャリア周波数またはその高調波周波数からなることを特徴とする情報漏洩防止方法。
【請求項１５】
請求項９に記載の情報漏洩防止方法において、
前記基本クロック生成ステップは、前記基本クロック信号として互いの周波数が整数倍の関係および整数分の１の関係のいずれともならない複数の個別基本クロック信号を生成し、
前記スペクトル拡散変調ステップ、前記変調パターン生成ステップ、および前記変調クロック生成ステップの組が、前記個別基本クロック信号ごとに並列的に設けられて、
前記変調パターン生成ステップのそれぞれは、当該個別基本クロック信号に対してスペクトル拡散クロッキング処理を行うことにより、個別スペクトル拡散クロック信号を生成し、
前記変調パターン生成ステップのそれぞれは、当該個別スペクトル拡散クロック信号の各パルスに符号ビットデータが同期するＰＮ（Ｐｓｅｕｄｏ  Ｎｏｉｓｅ）符号を個別変調パターン信号として出力するとともに、前記水平同期信号で当該ＰＮ符号の繰り返し周期をリセットし、
前記変調クロック生成ステップのそれぞれは、当該個別スペクトル拡散クロック信号を前記個別変調パターン信号で変調することにより個別変調クロック信号を生成し、
前記各個別変調クロック信号を合成した合成変調クロック信号を生成する出力合成ステップをさらに備え、
前記出力増幅ステップは、前記合成変調クロック信号を増幅することにより前記漏洩防止信号を生成する
ことを特徴とする情報漏洩防止方法。
【請求項１６】
請求項９に記載の情報漏洩防止方法において、
前記基本クロック生成ステップは、前記不要電磁波で漏洩する前記画像情報のキャリア周波数およびその高調波周波数と、前記画像信号に含まれる水平同期信号および垂直同期信号とに関係せずに、前記基本クロック信号を生成することを特徴とする情報漏洩防止方法。
【請求項１７】
情報処理装置で生成された画像信号に基づいて、当該画像信号の信号成分を含む不要電磁波による画像情報の漏洩を防止するための漏洩防止信号を生成する情報漏洩防止装置であって、
前記不要電磁波で漏洩する前記画像情報のキャリア周波数またはその高調波周波数を有し、かつ前記画像信号に含まれる水平同期信号または垂直同期信号と同期する基本クロック信号を生成する基本クロック生成部と、
前記基本クロック信号に対してスペクトル拡散クロッキング処理を行うことにより、スペクトル拡散クロック信号を生成するスペクトル拡散変調部と、
前記スペクトル拡散クロック信号を増幅することにより前記漏洩防止信号を生成する出力増幅部と
を備えることを特徴とする情報漏洩防止装置。
【請求項１８】
（削除）
【請求項１９】
情報処理装置で生成された画像信号に基づいて、当該画像信号の信号成分を含む不要電磁波による画像情報の漏洩を防止するための漏洩防止信号を生成する情報漏洩防止方法であって、
前記不要電磁波で漏洩する前記画像情報のキャリア周波数またはその高調波周波数を有し、かつ前記画像信号に含まれる水平同期信号または垂直同期信号と同期する基本クロック信号を生成する基本クロック生成ステップと、
前記基本クロック信号に対してスペクトル拡散クロッキング処理を行うことにより、スペクトル拡散クロック信号を生成するスペクトル拡散変調ステップと、
前記スペクトル拡散クロック信号を増幅することにより前記漏洩防止信号を生成する出力増幅ステップと
を備えることを特徴とする情報漏洩防止方法。
【国際調査報告】
2011027623.tif 000033
2011027623.tif 000034
2011027623.tif 000035
2011027623.tif 000036
2011027623.tif 000037
2011027623.tif 000038
2011027623.tif 000039